(57)【要約】【課題】  空気調和機の室外機のような重量物を、傾斜している場所で水平に設置することのできるアジャスターを提供すること。【解決手段】  ネジ部１３、ネジ部１３の下部に形成された操作部１２及び座部１１を備えたシャフト１０と、座部１１の下面部を支持する支持部材３０と、前記座部１１を収納するためのフット２０と、前記ネジ部１３に螺合されるロックナット４０とを有し、前記フット２０は前記操作部１２及びネジ部１３を遊貫可能とした規制孔部２４を上面に有し、この規制孔部２４に対し下方から操作部１２及びネジ部１３をフット２０の上方に突出させるようにシャフト１０が取り付けられ、その状態でシャフト１０の座部１１下面がフット２０の底壁上に載置された支持部材３０により支持されている。【選択図】      図１
2006118570.tif 000002
【特許請求の範囲】
【請求項１】
下方から座部、操作部、ネジ部を備えたシャフトと、
座部の下面部を支持する支持部材と、
前記座部を収納するためのフットと、
前記ネジ部に螺合されるロックナットとを有し、
前記フットは、前記シャフトの操作部及びネジ部を遊貫可能とし、かつ、前記座部より小さい孔径の規制孔部を当該フットの上面に有し、前記支持部材はフットの底壁上に載置されるようにフット内に収納され、前記シャフトは、該規制孔部の下方から操作部及びネジ部をフットの上方に突出させるように挿入され、その状態で前記支持部材により座部下面が支持されてなる
ことを特徴とするアジャスター。
【請求項２】
前記座部は下面部が下方に突出する凸状球面に形成され、前記支持部材は支持部が座部の下面を支持する凹部に形成されていることを特徴とする請求項１記載のアジャスター。
【請求項３】
前記フットは、支持部材と規制孔部との間に前記座部を収納する空間部を有し、該空間部内で、前記座部が前記支持部材により支持されている状態において、前記座部上面と前記規制孔部との間に間隙を有することを特徴とする請求項１又は２記載のアジャスター。
【請求項４】
前記フットは支持部材を側方から挿入可能とするように水平方向に形成された挿入穴部を備えていることを特徴とする請求項１〜３の何れか１項に記載のアジャスター。
【請求項５】
前記支持部材は板状に形成され、支持部材及び挿入穴部は前記挿入穴部に対し支持部材を側方からスライド式に所定位置に挿入可能とするように構成されていることを特徴とする請求項４記載のアジャスター。
【請求項６】
前記支持部材の支持部は、座部下面の凸状球面部の垂直断面における円弧に略一致する円弧を断面形状とする凹溝であって、該凹溝は支持部材のスライド方向全長にわたり形成されていることを特徴とする請求項５記載のアジャスター。
【請求項７】
前記フットは、前記挿入穴部を一方の側面から他方の側面に貫通するように構成することにより、この挿入穴方向に押し出す押出成形加工により製作されていることを特徴とする請求項５又は６記載のアジャスター。
【請求項８】
前記フットは、底壁面に前記シャフトを下方から挿入するためのサービス孔を備え、該サービス孔は、支持部材を所定位置に挿入したときに、該支持部材により閉塞されるように構成されていることを特徴とする請求項１〜７の何れか１項に記載のアジャスター。
【請求項９】
請求項１〜８の何れか１項に記載されたアジャスターをレベル調整用脚部として使用したことを特徴とする空気調和機の室外機用設置台。
【発明の詳細な説明】
【技術分野】
【０００１】
本発明は、傾斜している場所で機器を支持する場合に使用されるアジャスター及びこのようなアジャスターを用いた空気調和機の室外機用設置台に関する。
【背景技術】
【０００２】
傾斜している場所に空気調和機の室外機などの重たい機器を設置する場合、アジャスターとして水平方向３６０度の範囲でシャフトを傾斜させることが可能なユニバーサル型アジャスターが用いられている。このようなアジャスターとしては非特許文献１に記載のようなものが知られている。このアジャスターを図９〜図１１に示す。図９は、この従来のアジャスターの側断面図であって、シャフトの回転範囲及び傾斜範囲を示している。また、図１０は同アジャスターの平面図であり、図１１は同アジャスターの使用状態図である。
【０００３】
従来のアジャスターは、これら図に示すようなものであって、合成ゴム製のフット１１０と、このフット１１０に支持されるシャフト１２０とから構成されている。シャフト１２０は棒材を鍛造して、最下端部に下面を半球面状にした座部１２１を形成し、その上部に短い軸部１２２を介して操作用ナット部１２３を形成している。さらに、シャフト１２０において、操作用ナット部１２３の上部にはネジ部１２４が形成されている。一方、フット１１０は合成ゴム製の円板状物であり、内部にシャフト１２０の座部１２１の下面を支持するための板材１１１を配置して一体成形され、その上方部に座部１２１を収納する空間部１１２を備えている。さらにその空間部１１２の上方にシャフト１２０の座部１２１を上から空間部１１２内へ圧入するための孔部１１３が形成されている。なお、板材１１１の座部１２１下面を支持する部分は座部１２１の下面に対応した面に形成されている。また、使用に際しては、ネジ部１２４にロックナット（図示せず）が螺合され、ネジ部１２４を取付機器の取付部に螺合させてロックナットで固定される。
【０００４】
このように構成されたアジャスターは、短い軸部１２２が孔部１１３を貫通しており、軸部１２２と孔部１１３との間に遊びがあるため、シャフト１２０は水平方向には３６０度回転可能に構成されるとともに、α度（約１５度）の範囲で傾斜できるように構成されている。また、このアジャスターでは、座部１２１の下面が球面状に形成され、この座部１２１を受ける板材１１１下面を支持する部分が座部１２１の下面に対応する形状に形成されているため、シャフト１２０の傾斜が円滑に行われる。そして、このように構成されたアジャスターを使用すると、図１１に示すように、機器１３０を傾斜面に設置する場合において、機器１３０を水平に保持することができる。
【非特許文献１】「５１  栃木屋総合カタログ」、株式会社栃木屋、２００３年６月、Ｐ６- １３
【発明の開示】
【発明が解決しようとする課題】
【０００５】
しかしながら、上記構成のアジャスターは、フット１１０が合成ゴムで構成され、孔部１１３の上方からシャフト１２０の座部１２１をフット１１０内の空間部１１２に圧入しているため、使用中に座部１２１が孔部１１３から抜け出る恐れがある。このため、例えば、空気調和機の室外機のような重量物のアジャスターとしては使用できないという問題があった。
【０００６】
本発明は、このような背景に基づきなされたものであって、その目的は、空気調和機の室外機のような重量物を、傾斜している場所で水平に設置することのできるアジャスターを提供することにある。
【課題を解決するための手段】
【０００７】
本発明に係るアジャスターは、上記課題を解決するためになされたものであって、第１の発明は、下方から座部、操作部、ネジ部を備えたシャフトと、座部の下面部を支持する支持部材と、前記座部を収納するためのフットと、前記ネジ部に螺合されるロックナットとを有し、前記フットは、前記シャフトの操作部及びネジ部を遊貫可能とし、かつ、前記座部より小さい孔径の規制孔部を当該フットの上面に有し、前記支持部材はフットの底壁上に載置されるようにフット内に収納され、前記シャフトは、該規制孔部の下方から操作部及びネジ部をフットの上方に突出させるように挿入され、その状態で前記支持部材により座部下面が支持されてなることを特徴とする。
【０００８】
また、第２の発明は、第１の発明において、前記座部は下面部が下方に突出する凸状球面に形成され、前記支持部材は支持部が座部の下面を支持する凹部に形成されていることを特徴とする。
【０００９】
また、第３の発明は、第１又は第２の発明において、前記フットは、支持部材と規制孔部との間に前記座部を収納する空間部を有し、該空間部内に、前記座部が前記支持部材により支持されている状態において、前記座部上面と前記規制孔部との間に間隙を有することを特徴とする。
【００１０】
また、第４の発明は、第１〜第３の何れかの発明において、前記フットは支持部材を側方から挿入可能とするように水平方向に形成された挿入穴部を備えていることを特徴とする。
【００１１】
また、第５の発明は、第４の発明において、前記支持部材は板状に形成され、支持部材及び挿入穴部は前記挿入穴部に対し支持部材を側方からスライド式に所定位置に挿入可能とするように構成されていることを特徴とする。
【００１２】
また、第６の発明は、第５の発明において、前記支持部材の支持部は、座部下面の凸状球面部の垂直断面における円弧に略一致する円弧を断面形状とする凹溝であって、該凹溝は支持部材のスライド方向全長にわたり形成されていることを特徴とする。
【００１３】
また、第７の発明は、第５又は第６の発明において、前記フットは、前記挿入穴部を一方の側面から他方の側面に貫通するように構成することにより、この挿入穴方向に押し出す押出成形加工により製作されていることを特徴とする。
【００１４】
また、第８の発明は、第１〜第７の何れかの発明において、前記フットは、底壁面に前記シャフトを下方から挿入するためのサービス孔を備え、該サービス孔は、支持部材を所定位置に挿入したときに、該支持部材により閉塞されるように構成されていることを特徴とする。
【００１５】
また、第９の発明に係る空気調和機の室外機用設置台は、第１〜第８の何れか１項に記載されたアジャスターをレベル調整用脚部として使用したことを特徴とする。
【発明の効果】
【００１６】
第１の発明に係るアジャスターによれば、フット上面に設けられた規制孔部に対し、下方から操作部及びネジ部をフットの上方に突出させるようにシャフトが取り付けられ、その状態でシャフトの座部下面がフットの底壁上に載置された支持部材により支持されているので、従来のアジャスターのように座部をフット内に圧入する必要がなく、フットを金属製とすることができ、使用中に座部が規制孔部から抜け出ることもない。したがって、空気調和機の室外機のような重量物支持用に適したアジャスターとすることができる。また、規制孔部とシャフトとの間には隙間が形成されているので、シャフトを水平面３６０度の範囲で傾斜させることができる。
【００１７】
また、第２の発明によれば、第１の発明の効果に加え次の効果を奏することができる。シャフトの座部の下面が球面状に形成され、支持部材の支持部が座部の下面を支持する凹部に形成されているので、シャフトの傾斜を円滑に行うことができる。
【００１８】
また、第３の発明によれば、第１又は第２の発明の効果に加え次の効果を奏することができる。前記座部が前記支持部材により支持されている状態において、前記座部上面と前記規制孔部との間に間隙を有しているので、座部の傾斜が容易になり、シャフトの傾斜角度を大きくとることができる。
【００１９】
また、第４の発明によれば、第１〜第３の何れかの発明の効果に加え次の効果を奏することができる。フットは支持部材を側方から挿入可能とするように水平方向に挿入穴部を備えているので、支持部材の挿入が容易に行える。
【００２０】
また、第５の発明によれば、第４の発明の効果に加え、次の効果を奏することができる。支持部材を板状に形成し、支持部材及び挿入穴部は、挿入穴部に対し支持部材を側方からスライド式に所定位置に挿入可能とするように構成されているので、支持部材の取付が容易であり、かつ、正確に取り付けることができる。
【００２１】
また、第６の発明によれば、第５の発明の効果に加え、次の効果を奏することができる。支持部材の支持部は、座部下面の凸状球面部の垂直断面における円弧に略一致する円弧を断面形状とする凹溝に形成され、該支持部はフットの幅方向全長にわたり形成されているので、座部の突状球面部を凹溝に係合させながら支持部材をフットの側方から容易に挿入することができる。
【００２２】
また、第７の発明によれば、第５又は第６の発明の効果に加え、次の効果を奏することができる。挿入穴部を、一方の側面から他方の側面に貫通するように構成することにより、フットが挿入孔方向に押し出す押出成形加工により製作されているので、フットの断面係数が大きくなりフットの強度が向上する。
【００２３】
また、第８の発明によれば、第１〜第７の何れかの発明の効果に加え、次の効果を奏することができる。フットの底壁面にシャフトを下方から挿入するためのサービス孔が設けられ、支持部材を所定位置に挿入することにより、該サービス孔が支持部材により閉塞されるように構成されているので、シャフトの挿入が容易であり、かつ構造的に簡略な構成とすることができる。
【００２４】
また、第９の発明に係る空気調和機の室外機用設置台によれば、第１〜第８の何れかのアジャスターをレベル調整用脚部として使用しているので、傾斜している場所に室外機を安定的に設置することができる。
【発明を実施するための最良の形態】
【００２５】
（実施の形態１）
以下に、本発明を具体化した実施の形態に係るアジャスターを図面に基づいて説明する。図１は本実施の形態に係るアジャスターの断面組立図である。図２はフット内に支持部材を収納した状態のフットの断面図である。図３は同フットの底面図である。図４は同フットの図３におけるＡ−Ａ断面図である。
【００２６】
本実施の形態に係るアジャスター１は、図１に示すように、シャフト１０と、フット２０と、支持部材３０と、ロックナット４０とを備えている。
シャフト１０は鉄鋼等の棒材を鍛造して、最下端部に座部１１を形成し、その上部に連続してナット形状を成した操作部１２を形成している。さらに、シャフト１０は、操作部１２の上部にネジ部１３を形成している。座部１１は、下面部を下方に突出する凸状球面に形成し、座部１１の平面視直径は、ネジ部１３の直径及び操作部１２におけるナット形状の対角線寸法より大きく形成されている。
【００２７】
フット２０は、幅方向（この明細書では図３の紙面上での上下方向をいう）に一定の形状を成している。このフット２０を幅方向と直角の方向で見ると、図２の幅方向と直角の方向に切断した横断面形状のようになり、同図に示すように蒲鉾型の厚肉部分２１と平板状の薄肉部分２２とに大別される。厚肉部分２１の内部には、図２の横断面に示すように、幅方向に貫通する挿入穴部２３が形成されている。フット２０は、このような形状としてアルミを使って押出成形されている。押し出し方向は図２において紙面と直角の方向である。
【００２８】
このフット２０において、挿入穴部２３の中央部の上壁には、シャフト１０の操作部１２及びネジ部１３を遊貫可能とする孔径であって、座部１１より小さい孔径の規制孔部２４が設けられている。また、挿入穴部２３の中央部の下壁には、規制孔部２４に対向し、シャフト１０の操作部１２及びネジ部１３を下方から上方に向けて貫通させることができるように、シャフト１０を挿入するためのサービス孔２５が同心状に形成されている。このサービス孔２５の孔径は、座部１１の平面視直径より大きい直径に形成されている。なお、フット２０の薄肉部分２２には、フット２０固定用の固定穴２７が形成されている。
【００２９】
一方、支持部材３０は、アルミ押出成形品であって板状に形成されている。支持部材３０は、フット２０の幅方向を長手方向とし、その長手方向の長さをフット２０幅寸法に略同寸とされている。そして、前述の挿入穴部２３の下半部は、上記支持部材３０がスライド式に一方の側方から挿入できるように支持部材３０の横断面形状に対応した形状に形成されている。支持部材３０は、横断面において上部に鍔部３１を有し、この鍔部３１がスライド式に挿入するときのレールの機能を備えている。なお、このように支持部材３０をスライド式に挿入するとき支持部材３０の下面はサービス孔２５の上面をスライドするように形成されている。また、支持部材３０の上面には、座部１１下面部を支持するための支持部３２が形成されている。この支持部３２は、座部１１の下面部の凸状球面部を受けることができるように断面円弧状の凹状溝部として長さ方向（フットの幅方向）全長に亘り形成されている。また、支持部材３０には、両側方に小径の孔３３が設けられている。そして、この孔３３と係合するだぼ２６がフット２０の下壁に形成されている。これにより、支持部材３０はフット２０内に固定される。そして、支持部材３０が固定されることにより、シャフト１０が固定される。
【００３０】
挿入穴部２３において、支持部材３０の中央部における上方部は、前記のように規制孔部２４に対し、シャフトの操作部１２及びネジ部１３を下方から上方に向けて貫通させたシャフト１０の座部１１を収容する空間部２８となっている。この空間部２８は、座部１１がゆとりを持って入るように、高さ及び横断方向の幅寸法が座部１１の高さ及び水平断面における直径より大きく設定されている。また、空間部２８内で、座部１１が支持部材３０により支持されている状態において、座部１１の上面とフット２０の上壁との間に隙間が形成されている。これにより、シャフト１０を図５のように傾斜させるときに座部１１の上面が空間部２８の上壁に当たるのを回避することができ、シャフト１０を大きく傾斜させることができる。
【００３１】
このように構成されたアジャスター１は、次のように製造組立される。
フット２０は押出加工材を使って製作する。先ず、断面形状が図２の状態のものであって、サービス孔２５、規制孔部２４及び固定穴２７が開けられていない状態のもの（この状態では支持部材３０を含まない）をアルミ押出加工により製作する。その後に所要幅に切断して、図２から図４に示される形状のものを作る。次いで、サービス孔２５、規制孔部２４及び固定穴２７の穴開け加工を行う。このようにしてフット２０を製作する。
【００３２】
一方、支持部材３０もアルミ押出加工材を使って製作する。先ず、図４のような断面形状のものであって、孔３３が開けられていない状態の断面形状を有する長尺ものをアルミ押出加工により製作する。これを所定幅に切断し、孔３３の穴開け加工することにより、支持部材３０を製作する。シャフト１０は、鉄鋼棒材を鍛造して、座部、操作部、ネジ部を形成して得られる。ロックナット４０は通常市販のものでよい。
【００３３】
次に上記により製作されたシャフト１０、フット２０、支持部材３０、ロックナット４０の各部品を次のように組み立てる。フット２０底壁のサービス孔２５から、シャフト１０のネジ部１３を先にして座部１１の上面がフット２０の上壁に当たるまで挿入する。また、シャフト１０を挿入した状態で側方から支持部材３０を所定位置に挿入する。支持部材３０はフット２０の幅方向と寸法が同一とされているので、端部がフット２０からはみ出さない状態が支持部材３０の所定位置となる。支持部材が所定位置に挿入された状態で、フット２０の底壁に、支持部材３０の孔３３に対しだぼ２６を打って支持部材３０を固定する。その後にロックナット４０をネジ部１３に螺合して取り付ける。このようにして本実施の形態に係るアジャスター１の製造組立が行われる。
【００３４】
実施の形態１は以上のように構成されるので、次のような効果を奏することができる。
フット２０上面に設けられた規制孔部２４に対し、下方から操作部１２及びネジ部１３をフット２０の上方に突出させるようにシャフト１０が取り付けられ、その状態でシャフト１０の座部１１下面がフット２０の底壁上に載置された支持部材３０により支持されているので、従来のアジャスターのように座部１１をフット２０内に圧入する必要がなく、フット２０を金属製とすることができ、使用中に座部１１が規制孔部２４から抜け出ることもない。したがって、空気調和機の室外機のような重量物支持用に適したアジャスター１とすることができる。また、規制孔部２４とシャフト１０との間には隙間が形成されているので、シャフトを水平面３６０度の範囲で傾斜させることができる。図５はこれを示したもので、実線が垂直方向にシャフトが起立している場合であって、２点鎖線は最大傾斜角度θを示している。
【００３５】
また、シャフト１０の座部１１の下面が球面状に形成され、支持部材３０の支持部３２が座部１１の下面を支持する凹部に形成されているので、シャフト１０の傾斜を容易に行うことができる。また、座部１１が支持部材３０により支持されている状態において、座部１１上面と規制孔部２４との間に間隙を有しているので、座部１１の傾斜が容易になり、シャフト１０の傾斜角度を大きくとることができる。
【００３６】
また、フット２０は支持部材３０を側方から挿入可能とするように水平方向に挿入穴部２３を備えているので、支持部材３０の挿入が容易に行える。また、支持部材３０を板状に形成してスライド式に所定位置に挿入可能とするように、支持部材３０及び挿入穴部２３を形成しているので、支持部材３０の取付が容易であり、かつ、正確に取り付けることができる。また、支持部材３０の支持部３２は、座部１１下面の凸状球面部の垂直断面における円弧に略一致する円弧を断面形状とする凹溝であって、該凹溝は支持部材３０のスライド方向全長にわたり形成されているので、座部１１の突状球面部を凹溝に係合させながら支持部材３０をフット２０の側方から容易に挿入することができる。
【００３７】
また、挿入穴部２３を、一方の側面から他方の側面に貫通するように構成することにより、フット２０が挿入孔方向に押し出す押出成形加工により製作されているので、フット２０の断面係数が大きくなりフット２０の強度が向上する。
【００３８】
また、フット２０の底壁面にシャフト１０を下方から挿入するためのサービス孔２５が設けられ、支持部材３０を所定位置に挿入することにより、該サービス孔２５が支持部材３０により閉塞されるように構成されているので、シャフト１０の挿入が容易であり、かつ構造的に簡略な構成とすることができる。
【００３９】
本発明は、上記実施の形態１において次のように変形してもよい。
実施の形態１においては、シャフト１０、フット２０、支持部材３０の材料としてアルミを使用しているが、鉄、亜鉛などの他の金属でもよいし、強度の大きいものであれば、樹脂を使用してもよい。また、実施の形態１ではフット２０及び支持部材３０を押出加工により製作しているが、鋳造により製作してもよいし、切削加工により製作することもできる。また、操作部１２はナット形状に形成されているが、軸を回すための道具を使用できる構造であれば他のものでもよく、例えば、スパナを使う場合にはナット形状でなくてもスパナが係る６角形、４角形の軸部に形成されているものでもよい。また、フット２０には固定穴２７が設けられているが、この固定穴２７は実施の形態のような長穴でなく丸穴でもよいし、無くてもよい。また、支持部材３０の固定をだぼで行っているが、ネジなどの他の手段で固定してもよい。
【００４０】
（実施の形態２）
実施の形態２は、上記のように構成されるアジャスター１を空気調和機の室外機用設置台に利用した例を示す。
【００４１】
図６は本実施の形態に係る空気調和機の室外機用設置台の斜視図であり、図７は同室外機用設置台の一部分解斜視図である。これら図に示すように、本実施の形態に係る空気調和機の室外機用設置台は、空気調和機の室外機を載置するための水平部材５１と、水平部材５１を支持するための支柱５２と、水平部材５１及び支柱５２を連結して構造体を形成するための上段側コーナブラケット５３及び下段側コーナブラケット５４とを備えている。また、支柱５２は上段側コーナブラケット５３及び下段側コーナブラケット５４の凹部５５、５６に挿入されて各コーナに立設されている。なお、支柱２の外表面と凹部５５、５６の内表面との間隙にはスペーサ５７が嵌め込まれている。
【００４２】
また、上記構成の空気調和機の室外機用設置台においては、実施の形態１に示したアジャスター１が、レベル調整用脚部として、下段側コーナブラケット５４の下方に取り付けられている。図８は、アジャスター周りの断面図である。この図に示すように、アジャスター１を取り付けるには、下段側コーナブラケット５４の中心部にあるボス５８に形成されたネジ孔５９に対し、アジャスター１のネジ部１３を螺合させる。そして、操作部１２を操作して下段側コーナブラケット５４を所定高さに調節し、その位置でロックナット４０をボス５８の下端に締め付けると、ネジ部１３とネジ孔５９との螺合が固定され、アジャスター１の取付が完了する。そして、四角のアジャスター１の高さをそれぞれ調整することにより、室外機を水平に設置することができる。
【００４３】
このような空気調和機の室外機用設置台においては、アジャスターを必要とする機器が重量物であるので、この重量部に耐えるアジャスターでなければならない。また、設置場所が屋外となるのでが傾斜していたり、凹凸があることは避け難い。一方、室外機に溜まったドレンを適正に排出させるには室外機を水平に保持する必要がある。また、室外機を長期間わたり静粛にかつ、安定的に使用するには、機器を水平に設置することが必要である。このようなニーズに対し、本実施の形態によるアジャスター１であれば、重量物に耐えることができ、傾斜している場所でも容易に室外機を水平に設置することができる。
【図面の簡単な説明】
【００４４】
【図１】本実施の形態に係るアジャスターの断面組立図である。
【図２】同アジャスターのフットの断面図であって、フット内に支持部材を収納した状態の断面図である。
【図３】同フットの底面図である。
【図４】同フットの図３におけるＡ−Ａ断面図である。
【図５】同アジャスターの回転範囲及び傾斜角度の表示図である。
【図６】本発明の実施の形態２に係る空気調和機の室外機用設置台の斜視図である。
【図７】同室外機用設置台の一部分解斜視図である。
【図８】同室外機用設置台に使用されている本発明アジャスター周りの断面図である。
【図９】従来のアジャスターの側断面図であって、シャフトの回転範囲及び傾斜範囲を示している。
【図１０】同アジャスターの平面図であり
【図１１】同アジャスターの使用状態図である。
【符号の説明】
【００４５】
１  アジャスター
１０  シャフト
１１  座部
１２  操作部
１３  ネジ部
２０  フット
２３  挿入穴部
２４  規制孔部
２５  サービス孔
２８  空間部
３０  支持部材
３２  支持部
４０  ロックナット
【図１】
2006118570.tif 000003
【図２】
2006118570.tif 000004
【図３】
2006118570.tif 000005
【図４】
2006118570.tif 000006
【図５】
2006118570.tif 000007
【図６】
2006118570.tif 000008
【図７】
2006118570.tif 000009
【図８】
2006118570.tif 000010
【図９】
2006118570.tif 000011
【図１０】
2006118570.tif 000012
【図１１】
2006118570.tif 000013